(57)【特許請求の範囲】
【請求項１】
外周面にリールを装着可能であり前記リールからの釣糸が通過可能な釣糸経路を内部に有する中通し竿であって、
前記釣糸通路に釣糸を導入可能な釣糸導入孔を穂先側外周面に有する第１竿体と、
前記第１竿体の穂先側に振出形式で連結される第２竿体と、
前記第２竿体の竿元側端部に配置されたガイドホルダーとを備え、
前記ガイドホルダーは、軸方向に貫通し釣糸が挿通可能な貫通孔を有し、竿元側端面に周方向に間隔を隔てて形成され径外方向ほどなめらかに細くなるように周方向に突出するとともに竿元側ほどなめらかに細くなるように竿元側にも突出する複数の小突起を有し、
前記貫通孔の内周にはセラミック製のセラミックリングがはめ込まれて固定されている
ことを特徴とする中通し竿。
【請求項２】
前記第２竿体は竿元側内周面に雌ネジ部を有し、前記ガイドホルダーは穂先側に前記雌ネジ部に螺合可能な雄ネジ部を有する、請求項１に記載の中通し竿。
【発明の詳細な説明】
【０００１】
【発明の属する技術分野】
本発明は釣竿、特に、リールからの釣糸を内部に挿通可能な釣糸経路を有する中通し竿に関する。
【０００２】
【従来の技術】
中通し竿は、内部に釣糸を挿通可能な釣糸経路を有する竿体と、竿体に脱着自在に固定されたリールと、前記リールの穂先側の竿体外周面に形成された釣糸導入孔と、竿体の穂先側先端部に形成されたトップガイドとを有している。このような中通し竿では、リールからの釣糸を釣糸導入孔より釣糸経路に導入し、穂先側のトップガイドより外部に釣糸を導出する。
【０００３】
中通し竿には、複数の竿体が振出形式で連結されたものがある。このような振出式の中通し竿は、リールが固定され、リールの穂先側の竿体外周面に釣糸導入孔を備える第１竿体と、第１竿体の穂先側に振出形式で連結される第２竿体とを備えている。このような振出式の中通し竿では、第２竿体を第１竿体から引き出した状態で、リールからの釣糸を第１竿体の竿体導入孔から第２竿体の釣糸経路に導入し、トップガイドより釣糸を外部に導出して使用する。
【０００４】
【発明が解決しようとする課題】
振出式の中通し竿では、使用後、釣糸を釣糸経路に導入した状態で第２竿体を第１竿体に収納する場合がある。この場合、第２竿体竿元側端部が第１竿体の竿元側端部に位置することになる。このとき、第２竿体竿元側端部のガイドホルダーから第１竿体の釣糸導入孔へ向かう釣糸が、ガイドホルダーと第１竿体竿元側の尻栓に挟まれて、釣糸を破損するとともに竿体をも破損する、いわゆる「糸絡み」現象が生じるおそれがある。
【０００５】
本発明の課題は、釣糸を釣糸経路に導入した状態で竿体を収納した場合に、釣糸及び竿体の破損を防止することにある。
【０００６】
【課題を解決するための手段】
第１発明に係る中通し竿は、外周面にリールを装着可能であり、リールからの釣糸が通過可能な釣糸経路を内部に有する中通し竿であって、釣糸通路に釣糸を導入可能な釣糸導入孔を穂先側外周面に有する第１竿体と、第１竿体の穂先側に振出形式で連結される第２竿体と、第２竿体の竿元側端部に配置されたガイドホルダーとを備えている。ガイドホルダーは、軸方向に貫通し釣糸が挿通可能な貫通孔を有し、竿元側端面に周方向に間隔を隔てて形成され径外方向ほどなめらかに細くなるように周方向に突出するとともに竿元側ほどなめらかに細くなるように竿元側にも突出する複数の小突起を有し、貫通孔の内周にはセラミック製のセラミックリングがはめ込まれて固定されていることを特徴とする。
【０００７】
このような中通し竿では、収納時は、第２竿体が第１竿体の内部に収納されコンパクトな状態となり、使用時には第２竿体を第１竿体の穂先側に引き延ばして１本の竿体として用いられる。釣糸挿通操作時には、この中通し竿は第２竿体を第１竿体の穂先側に引き延ばして用いられる。具体的には、第２竿体の竿元側端部が釣糸導入孔の穂先側に位置するような状態で、リールからの釣糸を釣糸導入孔からガイドホルダーの貫通孔を介して第２竿体の釣糸経路に導入する。
【０００８】
釣糸を釣糸経路に導入した状態で竿体を収納する場合、第２竿体が第１竿体の内部に収納され、第２竿体の竿元側のガイドホルダーが第１竿体竿元側の尻栓に接触する。このとき、第２竿体のガイドホルダーから第１竿体の釣糸導入孔へと向かう釣糸は、ガイドホルダーの竿元側端面において小突起の間で滑動し、ガイドホルダーに設けられた複数の小突起の間に配置される。この結果、釣糸がガイドホルダーと第１竿体竿元側の尻栓とに挟まれるのを防止することができ、釣糸及び竿体の破損を防止することができる。
【０００９】
第２発明に係る中通し竿は、第１発明の中通し竿において、第２竿体は竿元側内周面に雌ネジ部を有し、ガイドホルダーは穂先側に前記雌ネジ部に螺合可能な雄ネジ部を有する。振出式の中通し竿では、一般に、第２竿体の穂先側に振出可能に複数の竿体を備えている。この第２発明によれば、ガイドホルダーを取り外すことにより、第２竿体に収納される複数の竿体のメンテナンスが容易となる。
【００１０】
【発明の実施の形態】
以下、本発明実施形態について図面を参照しつつ説明する。
本発明の第１実施形態を採用した中通し竿は、図１に示すように、元竿１と、元竿１の穂先側に連結された第１中竿２及び第２中竿３と、第２中竿３の穂先側に連結された穂先竿４とを有している。これら元竿１〜穂先竿４は炭素繊維またはガラス繊維等に合成樹脂を含侵させたプリプレグから形成される先細り筒状部材であって、内部に釣糸通路１００を有する（図２等参照）。そして、第１中竿２〜穂先竿４は穂先側から順次竿元側の竿体内部に挿入され出し入れ自在になっており、いわゆる振出形式で連結されている。
【００１１】
元竿１は、外周面に形成されリール５を脱着自在に装着可能なリールシート６と、穂先側外周面に形成されリール５からの釣糸Ｌを竿体内部に導入する釣糸導入孔７が形成されている。この釣糸導入孔７には釣糸との接触から周縁部を保護するための保護リングＰが周縁部に埋め込まれている。また、元竿１には釣糸導入孔７を覆うように配置された釣糸ガイド８が固定されている。さらに、穂先竿４の穂先側端部にはトップガイド９が取り付けられており、リールからの釣糸Ｌは釣糸ガイド８及び釣糸導入孔７を通り釣糸通路１００に導かれて、穂先側のトップガイド９より外部へ導かれる。また、元竿１の竿元側端部には尻栓１０が備えられている。
【００１２】
図２に示すように、釣糸ガイド８は、金属製のリング状部材であるリング部１１と、リング部１１からその周方向外周に連続して形成されリング部１１を支持するように元竿１の軸方向軸方向に延びて形成された脚部１２と、脚部１２の両先端を元竿１の周面に沿うようにそれぞれ折り曲げて形成された固定部１３とを有している。リング部１１は、例えば、Ｔｉ合金やＴｉ−Ｎｉ合金等の金属からなる部材であって、リング部１１のリング状内周には硬質セラミック製のセラミックリング１４がはめ込まれて固定されている。また、脚部１２はリング部１１と一体で形成され、釣糸導入孔７を覆うアーチを形成している。この脚部１２の先端部分が竿体１の周面に配置され固定されており、固定部１３となっている。そして、この固定部１３は巻糸（図示せず）及び接着剤等によって元竿１に固定されている。
【００１３】
図２に示すように、第１中竿２は内部に釣糸経路１００を有する筒状部材であって、元竿１の穂先側に振出形式で連結されている。そして、第１中竿２の竿元側端部には雌ネジ部２０ｂが形成されている。
【００１４】
図３（ａ）はガイドホルダー２０の側面図であり、図３（ｂ）はガイドホルダー２０の正面図である。ガイドホルダー２０は、図２及び図３に示すように、軸方向に貫通し釣糸が挿通可能な貫通孔２１を有しており、貫通孔２１の内周には硬質セラミック製のセラミックリング２４がはめ込まれて固定されている。竿元側端面には、図２及び図３に示すように、周方向に間隔を隔てて形成され、周方向に突出するとともに竿元側にも突出する８個の小突起２２を有している。これらの小突起２２は、径外方向ほどなめらかに細くなっており、またかつ竿元側ほどなめらかに細くなるように形成されている。また、ガイドホルダー２０の穂先側には、前記雌ネジ２０ｂに螺合する雄ネジ部２０ａが形成されており、ガイドホルダー２０と第１中竿２とが螺合可能である。これにより、第１中竿２とガイドホルダー２０とは脱着自在となっている。
【００１５】
このような中通し竿を使用する場合、金属製ワイヤ等からなる糸通し具により釣糸Ｌが装着される。例えば、図２のように元竿１から第１中竿２を振り出した状態で、釣糸Ｌを係止した糸通し具をリング部１１に通し、釣糸導入孔７から貫通孔２１を介して釣糸経路１００内に挿通させ、トップガイド９より糸通し具を引き出す。このトップガイド９から引き出された釣糸Ｌに仕掛けを装着して釣りを行う。
【００１６】
釣りを終えて、釣糸Ｌを釣糸経路１００に残したまま竿体を収納する場合には、図４に示すように、穂先竿４から第１竿体２が順次元竿１の内部に収納され、第１竿体２端部のガイドホルダー２０が元竿１竿元側の尻栓１０に接触する。釣糸経路１００を通ってガイドホルダー２０の貫通孔２１から出た釣糸Ｌは、逆に穂先側に位置する釣糸導入孔７へ向かうことになる。このとき、８個の小突起２２が滑らかに形成されているため、ガイドホルダー２０から出た釣糸Ｌは、小突起２２の表面上を滑動し、８個の小突起２２のいずれかの間に配置されることになる。この結果、釣糸Ｌがガイドホルダー２０と尻栓１０に挟まれるのを防止することができる。
【００１７】
〔他の実施形態〕
上記実施形態では、ガイドホルダー２０に設けられる小突起２２が８個の場合を示したが、小突起２２の数はこれに限られるものではなく、任意に設けることが可能である。
【００１８】
【発明の効果】
本発明の中通し竿によれば、釣糸を釣糸経路に導入した状態で竿体を収納した場合でも、釣糸及び竿体の破損を防止することができる。
【図面の簡単な説明】
【図１】振出式中通し竿の全体図。
【図２】図１の釣糸導入孔付近の拡大断面図。
【図３】ガイドホルダーの側面図及び正面図。
【図４】竿体収納時の元竿端部の拡大断面図。
【符号の説明】
１  元竿
２  第１中竿
５  リール
７  釣糸導入孔
２０  ガイドホルダー
２０ａ雄ネジ部
２０ｂ雌ネジ部
２１  貫通孔
２２  小突起
１００釣糸経路
【図１】
0004420366.tif 000002
【図２】
0004420366.tif 000003
【図３】
0004420366.tif 000004
【図４】
0004420366.tif 000005